【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
刺激応答性ポリマー及び／又は刺激応答性コロイドの合成中におけるポリマー及び／又はコロイドの刺激応答性の進展を、モニタリングする方法であって、
ａ）刺激応答性ポリマー及び／又は刺激応答性コロイドが合成されるリアクターを配備するステップ、
ｂ）ポリマー及び／又はコロイドの合成中におけるポリマー及び／又はコロイドの刺激応答性をモニタリングする手段を配備するステップ、及び
ｃ）ステップｂ）の手段を用いて、ポリマー及び／又はコロイドの合成中におけるポリマー及び／又はコロイドの刺激応答性をモニタリングするステップ、
を含んでいる、方法。
【請求項２】
ｄ）ポリマー及び／又はコロイドの合成中におけるポリマー及び／又はコロイドの特性の進展をモニタリングする手段を配備するステップ、
ｅ）ステップｄ）の手段を用いて、ポリマー及び／又はコロイドの合成中におけるポリマー及び／又はコロイドの特性をモニタリングするステップ、
をさらに含んでいる、方法。
【請求項３】
ポリマー及び／又はコロイドはリアクターの反応性媒体の中で合成され、反応性媒体の特性を特定することをさらに含んでおり、任意選択により、前記特性は、検出器で特定される請求項２の方法。
【請求項４】
反応性媒体の特性は、サーモスタットで制御されたヒーター又はクーラーで温度設定を行なうこと、試薬及び他のコンポーネントの所望濃度を使用すること、及び撹拌を行なうことのうちの少なくとも１つによって定められる請求項３の方法。
【請求項５】
ポリマー及び／又はコロイドの刺激応答性の進展のモニタリングは、所望の刺激特性を有するポリマー及び／又はコロイドの最終生成物の生成を制御するために用いられる請求項１の方法。
【請求項６】
ポリマー及び／又はコロイドの刺激応答性の進展は、ポリマー及び／又はコロイド自体の特性の進展と相関関係があり、任意選択により、
ｉ）ポリマー及び／又はコロイドの性質の進展とポリマー及び／又はコロイドの刺激応答性の相互関係は、所望のポリマー及び／又はコロイドの最終生成物の組成及び特性を画定するために用いられ、
ｉｉ）ポリマー及び又はコロイドの性質の進展に対するポリマー及び／又はコロイドの刺激応答性の相互関係は、所望のポリマー及び／又はコロイドの最終生成物の生成を制御するために用いられ、任意選択により、所望のポリマー及び／又はコロイドの生成は、セミバッチ運転により行われ、１又は複数の試薬がリアクターの中に添加されて、温度等の反応媒体特性を変化させ、任意選択により、コロイド及び／又はポリマーを特徴づけるシグナルが、１又は複数の試薬のリアクター内への添加流入を自動的に制御するために用いられるか、又は温度等の反応媒体特性を変化させるために用いられる請求項２の方法。
【請求項７】
ポリマー及び／又はコロイドの刺激応答性の進展は連続的に測定される請求項１又は２の方法。
【請求項８】
モニターされた刺激応答性は、ミセル化、凝集、超分子集合、自己組織化集合、分子内相転移、分子内立体配座構造変化、光増感、熱応答性、他の化学種とポリマー及び／又はコロイドの非共有結合、ポリマー及び／又はコロイドのそれら自体又は他の化学種との化学反応、色又は他の視覚的態様における変化からなる群からの現象のクラスの１又は複数の要素を含んでいるか、又は、
刺激応答性は、Mie散乱によるものを含むあらゆる形態で分析される静的光散乱、動的光散乱、偏光静的光散乱及び／又は偏光動的光散乱、濁度、190nm〜1mmにおける任意範囲の電磁放射線の吸収、濁度、蛍光、伝導度、核磁気共鳴、電子スピン共鳴、光学活性、複屈折、線二色性及び楕円二色性、粘度、光学写真撮影及び感熱写真のうちの１又は複数の手段によってモニターされ、任意選択により、刺激応答性は、様々な条件下で同時にモニターされ、刺激応答性を生じさせるのに用いられる条件は、温度、圧力、流体力学的せん断、乱流、超音波、溶媒内の変化、溶媒混合物、pH、イオン強度、塩等の他の化学的試薬の存在、界面活性剤、有機分子、薬剤、生体細胞及び微生物を含む他の生物活性剤、オリゴマー、他のポリマー及びコロイド、190nm〜1mmの範囲の電磁放射による照射からなる群のうちの少なくとも１種を含んでおり、かつ、刺激応答性を生じさせるために用いられる処理は、リアクター液体を試薬が添加された純溶媒又は混合溶媒と混合することを含んでおり、試薬は、金属イオン、一価イオン、多価イオン、キレート剤、界面活性剤、蛍光分子、190nm〜1mmの範囲の放射を吸収する分子、ミセル、エマルション、小嚢、リポソーム、バイオポリマー及び合成ポリマーからなる群のうちの少なくとも１種である請求項７の方法。
【請求項９】
ポリマー及び／又はコロイドの刺激応答性の進展は、リアクターから１又は複数の液体流れを連続的に引き出し、該液体流れを、１又は複数の検出手段の試料セルを通って流すことによってモニターされる請求項７又は８の方法。
【請求項１０】
リアクターは、周期的に、及び間隔をあけて自動的に試料が採取され、任意選択により、ポリマー及び／又はコロイドの刺激応答性の進展のモニタリングは、ポリマー及び／又はコロイドの最終生成物の生成を、所望の刺激応答性で制御するために用いられ、任意選択により、周期的に引き出されたリアクター試料は、自動的に希釈され調整され、任意選択により、希釈され調整された試料は、リアクター中のポリマー及び／又はコロイドの特徴づけに用いられ、任意選択により、前記特徴づけは、ポリマー分子重量平均又は分配、モノマー又はコモノマーの転換、ポリマーの固有粘度、ポリマーの流体力学半径及び化学組成物のドリフト及び分配等の特性を特定するのに必要なあらゆる器具(例えば、静的及び動的光散乱、紫外線及び可視吸収、屈折率、粘度測定)又は器具の組合せを含んでいる請求項１、２、８又は９の方法。
【請求項１１】
合成中のポリマー及び／又はコロイドの刺激応答性の進展をモニタリングする装置であって、
ａ）ポリマー及び／又はコロイドが合成されるリアクターと、
ｂ）合成中のポリマー及び／又はコロイドの刺激応答性をモニタリングする刺激応答性モニタリング器と、を具えている装置。
【請求項１２】
ｃ）合成中のポリマー及び／又はコロイドの特徴の進展をモニタリングする特徴モニタリング器をさらに具えている請求項１１の装置。
【請求項１３】
特徴モニタリング器及び刺激応答性モニタリング器から得られた情報に基づいてリアクターを制御するリアクターコントローラをさらに具えている請求項１２の装置。
【請求項１４】
少なくとも１つの特徴モニタリング器は、Mie散乱によるものを含むあらゆる形態で分析される静的光散乱、動的光散乱、190nm〜1mmにおける任意範囲の電磁放射線の吸収、伝導度、核磁気共鳴、電子スピン共鳴及び粘度からなる群の中に含まれており、
少なくとも１つの刺激応答性モニタリング器は、Mie散乱によるものを含むあらゆる形態で分析される静的光散乱、動的光散乱、偏光静的光散乱及び／又は偏光動的光散乱、濁度、190nm〜1mmにおける任意範囲の電磁放射線の吸収、濁度、蛍光、伝導度、核磁気共鳴、電子スピン共鳴、光学活性、複屈折、線二色性及び楕円二色性、粘度、光学写真撮影及び感熱写真からなる群の中に含まれている、請求項１２又は１３の装置。
【請求項１５】
リアクターモニターは、温度プローブ、圧力プローブ、伝導度プローブ、pHプローブ、近赤外線又は中赤外線プローブ、動画カメラ、Raman散乱プローブ、撹拌トルクセンサー及び回収ストリームにおける毛細管粘度計からなる群の中に含まれており、リアクターコントローラが設けられる場合、該リアクターコントローラは、温度自動調節器、試薬又は他の反応性液体成分の手動制御されたストリーム、試薬又は他の反応性液体成分のフィードバック制御されたストリームからなる群の中に含まれている請求項１３の装置。